(57)【要約】【課題】本発明は、光ファイバ及びレンズのパラメーターに対してそれぞれ対応する範囲を設定することにより、挿入損失値が減少した光ファイバコネクタを提供する。【解決手段】本発明の光ファイバコネクタは、光ファイバと、前記光ファイバにより伝送される光信号をカップリングする２つのレンズとを備え、前記光ファイバの直径は６２．５〜１００μｍであり、２つの前記レンズの間の距離は０．５〜０．９５ｍｍであり、２つの前記レンズの曲率半径は０．３５７９〜０．３８９８ｍｍである。【選択図】図１
2011242771.tif 000002
【特許請求の範囲】
【請求項１】
光ファイバと、前記光ファイバにより伝送される光信号をカップリングする２つのレンズとを備え、前記光ファイバの直径は６２．５〜１００μｍであり、２つの前記レンズの間の距離は０．５〜０．９５ｍｍであり、２つの前記レンズの曲率半径は０．３５７９〜０．３８９８ｍｍであることを特徴とする光ファイバコネクタ。
【請求項２】
２つの前記レンズは、全て非球面平凸レンズであることを特徴とする請求項１に記載の光ファイバコネクタ。
【請求項３】
２つの前記レンズの凸面は対向することを特徴とする請求項２に記載の光ファイバコネクタ。
【発明の詳細な説明】
【技術分野】
【０００１】
本発明は、光ファイバコネクタに関するものである。
【背景技術】
【０００２】
従来の光ファイバコネクタは、光電変換方式を利用して、電気信号を光信号に変換して、光信号を光ファイバコネクタに伝送してカップリングし、最終的に光ファイバコネクタのプラグ端で光信号を再び電気信号に変換し且つ対応するソケットに挿入する。
【０００３】
しかし、レンズによって光信号をカップリングする際、光信号が伝送するエネルギーに対して挿入損失を生じ、光信号をカップリングする複数のレンズの間の距離と各々のレンズの曲率半径がマッチングしない場合、挿入損失値が増大して、光信号が伝送する情報の効率に影響を及ぼす。
【発明の概要】
【発明が解決しようとする課題】
【０００４】
本発明の目的は、前記課題を解決し、光ファイバ及びレンズのパラメーターに対してそれぞれ対応する範囲を設定することにより、挿入損失値を減少する光ファイバコネクタを提供することである。
【課題を解決するための手段】
【０００５】
前記目的を達成するため、本発明に係る光ファイバコネクタは、光ファイバと、前記光ファイバにより伝送される光信号をカップリングする２つのレンズとを備え、前記光ファイバの直径は６２．５〜１００μｍであり、２つの前記レンズの間の距離は０．５〜０．９５ｍｍであり、２つの前記レンズの曲率半径は０．３５７９〜０．３８９８ｍｍである。
【発明の効果】
【０００６】
本発明に係る光ファイバコネクタにおいて、光ファイバ及びレンズのパラメーターに対してそれぞれ対応する範囲を設定することにより、前記光ファイバコネクタの挿入損失値が−２．０００ｄＢ以下であり、前記ファイバコネクタが情報を伝送する効率を高める。
【図面の簡単な説明】
【０００７】
【図１】本発明の実施形態に係る光ファイバコネクタの構造を示す図である。
【図２】本発明の実施形態に係る光ファイバコネクタの２つのレンズ間の距離、レンズ曲率半径及び挿入損失の実験データ表である。
【図３】本発明の実施形態に係る光ファイバコネクタの２つのレンズ間の距離とレンズ曲率半径の関係曲線図である。
【図４】本発明の実施形態に係る光ファイバコネクタの２つのレンズ間の距離と、２つのレンズ間の距離とレンズ曲率半径の比と、の関係曲線図である。
【発明を実施するための形態】
【０００８】
図１を参照すると、本発明の実施形態に係る光ファイバコネクタ１は、受信端１０と、２つのレンズ２０、２１と、挿入端３０と、を備える。前記受信端１０は、伝送される電気信号を受信し、且つ前記電気信号を光信号に変換して光ファイバ２によって前記レンズ２０、２１に伝送する。前記レンズ２０、２１は、前記光ファイバ２により伝送される光信号をカップリングし、且つカップリングした光信号を前記挿入端３０に伝送する。前記挿入端３０は、前記光信号を電気信号に変換し、且つユーザーの操作によって対応するソケットに挿入される。本実施形態において、前記レンズ２０、２１は、非球面平凸レンズであり、且つ２つの前記レンズ２０、２１の凸面２０１、２１１は対向する。
【０００９】
図２は、本発明の光ファイバコネクタ１のレンズ２０、２１の間の距離、レンズ２０、２１の曲率半径及び挿入損失の実験データ表である。この表において、前記光ファイバ２の直径をＤと設定し、前記レンズ２０、２１の間の距離をＬと表示し、前記レンズ２０、２１の最大曲率半径をＲ（ＵＬ）と表示し、前記レンズ２０、２１の最小曲率半径をＲ（ＬＬ）と表示し、Ｌ/Ｒ（ＵＬ）の値をＲａｔｅ（ＵＬ）と表示し、Ｌ/Ｒ（ＬＬ）の値をＲａｔｅ（ＬＬ）と表示し、対応する挿入損失値をＩＬ（ＵＬ）及びＩＬ（ＬＬ）と表示する。
【００１０】
前記光ファイバ２の直径Ｄは６２．５〜１００μｍである。前記レンズ２０、２１の間の距離Ｌが０．５ｍｍであり、前記レンズ２０、２１の最大曲率半径Ｒ（ＵＬ）が０．３８９８ｍｍである場合、Ｒａｔｅ（ＵＬ）は１．２８２７であり、対応する挿入損失値ＩＬ（ＵＬ）は−２．０００ｄＢである。前記レンズ２０、２１の間の距離Ｌが０．５ｍｍであり、前記レンズ２０、２１の最小曲率半径Ｒ（ＬＬ）が０．３５８９ｍｍである場合、Ｒａｔｅ（ＬＬ）は１．３９３であり、対応する挿入損失値ＩＬ（ＬＬ）は−２．００６ｄＢである。前記レンズ２０、２１の間の距離Ｌが０．９５ｍｍであり、前記レンズ２０、２１の最大曲率半径Ｒ（ＵＬ）が０．３８８５ｍｍである場合、Ｒａｔｅ（ＵＬ）は２．４４５３であり、対応する挿入損失値ＩＬ（ＵＬ）は−２．００２ｄＢである。前記レンズ２０、２１の間の距離Ｌが０．９５ｍｍであり、前記レンズ２０、２１の最小曲率半径Ｒ（ＬＬ）が０．３５７９ｍｍである場合、Ｒａｔｅ（ＬＬ）は２．６５５であり、対応する挿入損失値ＩＬ（ＬＬ）は−２．００５ｄＢである。上述のデータから、前記光ファイバ２の直径Ｄが６２．５〜１００μｍであり、前記レンズ２０、２１の間の距離Ｌが０．５〜０．９５ｍｍであり、前記レンズ２０、２１の曲率半径Ｒが０．３５７９〜０．３８９８ｍｍである場合、前記光ファイバコネクタ１の挿入端３０の挿入損失値ＩＬは、−２．０００ｄＢ以下である。
【００１１】
図３は、本発明の光ファイバコネクタ１のレンズ２０、２１の間の距離とレンズ２０、２１の曲率半径の関係曲線図である。この曲線図において、横軸は前記レンズ２０、２１の間の距離Ｌを表示し、縦軸は前記レンズ２０、２１の曲率半径Ｒを表示する。前記レンズ２０、２１の間の距離Ｌが０．５〜０．９５ｍｍであり、前記レンズ２０、２１の最大曲率半径Ｒ（ＵＬ）が０．３８８５〜０．３８９８ｍｍである場合は曲線ａに示されており、図２のデータに基づくと、この場合対応する挿入損失値ＩＬ（ＵＬ）は、全て−２．０００ｄＢ以下である。また、前記レンズ２０、２１の間の距離Ｌが０．５〜０．９５ｍｍであり、前記レンズ２０、２１の最小曲率半径Ｒ（ＬＬ）が０．３５７９〜０．３５８９ｍｍである場合は曲線ｂに示されており、図２のデータに基づくとこの場合も対応する挿入損失値ＩＬ（ＬＬ）は全て−２．０００ｄＢ以下である。即ち、前記光ファイバ２の直径Ｄが６２．５〜１００μｍであり、前記レンズ２０、２１の間の距離Ｌ及び前記レンズ２０、２１の曲率半径Ｒが曲線ａ及び曲線ｂによって囲まれる領域ｆ内にある場合には、対応する挿入損失値ＩＬは、全て−２．０００ｄＢ以下である。
【００１２】
図４は、対応する挿入損失値ＩＬが全て−２．０００ｄＢ以下であり、且つ前記光ファイバ２の直径Ｄが６２．５〜１００μｍである場合の、レンズ２０、２１の間の距離ＬとＲａｔｅの関係曲線図である。この曲線図において、横軸は前記レンズ２０、２１の間の距離Ｌを表示し、縦軸はＬ/Ｒの値であるＲａｔｅを表示する。前記レンズ２０、２１の間の距離Ｌが０．５〜０．９５ｍｍであり、Ｒａｔｅ（ＵＬ）が１．２８２７〜２．４４５３である場合が曲線ｃに示されており、Ｌが大きいほど、Ｒａｔｅ（ＵＬ）も大きくなる。前記レンズ２０、２１の間の距離Ｌが０．５〜０．９５ｍｍであり、Ｒａｔｅ（ＬＬ）が１．３９３〜２．６５５である場合が曲線ｄに示されており、Ｌが大きいほど、Ｒａｔｅ（ＬＬ）も大きくなる。しかし、挿入損失値ＩＬは−２．０００ｄＢ以下であり、且つ前記光ファイバ２の直径Ｄが６２．５〜１００μｍである場合、前記レンズ２０、２１の間の距離ＬとＲａｔｅは正比例関係になる。
【００１３】
以上本発明を実施例に基づいて具体的に説明したが、本発明は上述の実施例に限定されるものではなく、その要旨から逸脱しない範囲において、種々変更可能であることは勿論であって、本発明の保護範囲は、以下の特許請求の範囲によって規定される。
【符号の説明】
【００１４】
１  光ファイバコネクタ
２  光ファイバ
１０  受信端
２０，２１  レンズ
３０  挿入端
２０１，２１１  凸面
【図１】
2011242771.tif 000003
【図２】
2011242771.tif 000004
【図３】
2011242771.tif 000005
【図４】
2011242771.tif 000006